(57)【特許請求の範囲】
【請求項１】
ボディと、
略Ｌ字状の第1のコンタクトとを備えており、
前記ボディは、本体部と、
前記本体部の背面に設けられた第１段部と、
前記本体部の背面の前記第１段部下側に設けられており且つ当該第１段部よりも低い第２段部と、
前記本体部の正面から前記第１段部の背面にかけて貫通した第１の端子挿入孔と、
前記第１の端子挿入孔の背面側の下縁部中央に設けられ且つ前記第２段部側に開口した切欠き部とを有しており、
前記第１のコンタクトは、前記ボディの第１の端子挿入孔に圧入された第１本体部と、
前記第１本体部の先端部に連続しており且つ前記ボディの第１の端子挿入孔から突出する接点部と、
前記第１本体部の後端部の中央部に連続しており前記第１の端子挿入孔に挿入された略Ｌ字状の第１折り曲げ部と、
前記第１折り曲げ部の後端部に連続しており且つ前記切欠き部から導出され、前記第２段部に沿って垂下された第１導出部と、
前記第１本体部の後端部の両端部に設けられ、当該第１本体部の長さ方向に延びた被押圧部であって、前記第１折り曲げ部と共に前記第１の端子挿入孔に挿入される一対の延長部とを有している電気コネクタ。
【請求項２】
請求項１記載の電気コネクタにおいて、
前記延長部の長さ寸法は、第１の折り曲げ部の折り曲げ箇所により分割される２つの直線部のうちの第１の本体部側の直線部の長さ寸法よりも長い電気コネクタ。
【請求項３】
請求項１又は２記載の電気コネクタにおいて、
前記第１折り曲げ部及び第１導出部は、前記第１本体部の後端部に連続する板状体から切り起こされたものであり、
前記延長部は、前記第１折り曲げ部及び第１導出部が切り起こされた前記板状体の残りの一部分である電気コネクタ。
【請求項４】
請求項２記載の電気コネクタにおいて、
前記第１のコンタクトは、前記第１導出部の後端部に連続するリード部を更に有している電気コネクタ。
【請求項５】
請求項１〜４の何れかに記載の電気コネクタにおいて、
略Ｌ字状の第２のコンタクトを更に備えており、
前記ボディは、前記本体部の正面から前記第２段部の背面にかけて貫通した第２の端子挿入孔を更に有しており、
前記第２のコンタクトは、前記ボディの第２の端子挿入孔に収容保持された第２本体部と、
前記第２本体部の後端部に連続する第２折り曲げ部と、
この第２折り曲げ部の後端部に連続する第２導出部とを有している電気コネクタ。
【請求項６】
請求項５記載の電気コネクタにおいて、
複数の前記第１、第２の端子挿入孔が、前記ボディに２列で千鳥状に配設されており、
複数の前記第１、第２のコンタクトが前記ボディに２列で千鳥状に配列されており、
前記ボディの背面には、前記第１の端子挿入孔と同間隔で設けられており且つ第１のコンタクトの第２導出部を収容保持する複数の第１の端子挿入溝と、前記第２の端子挿入孔と同間隔で設けられており且つ第２のコンタクトの第２導出部を収容保持する複数の第２の端子挿入溝とが設けられている電気コネクタ。
【請求項７】
請求項１〜４の何れかに記載の電気コネクタにおいて、
複数の前記第１の端子挿入孔が、前記ボディに２列で千鳥状に配設されており、
複数の前記第１のコンタクトが前記ボディに２列で千鳥状に配列されており、
前記ボディの背面には、前記第１の端子挿入孔と同間隔で設けられており且つ第１のコンタクトの第２導出部を収容保持する複数の第１の端子挿入溝が設けられている電気コネクタ。
【発明の詳細な説明】
【技術分野】
【０００１】
本発明は、電気コネクタのボディ内に配列されるコンタクト及びこれを用いた電気コネクタに関する。
【背景技術】
【０００２】
この種のコンタクトは、略Ｌ字状の導電部材であって、電気コネクタのボディ内の端子挿入孔に圧入される本体部と、この本体部に連続する折り曲げ部と、この折り曲げ部に連続する導出部とを有するものがある（特許文献１参照）。
【０００３】
【特許文献１】特表２００３−５０５８２６号公報
【発明の開示】
【発明が解決しようとする課題】
【０００４】
ところで、前記本体部は、折り曲げ部が押圧されることにより、前記ボディの端子挿入孔に圧入される。換言すると、前記本体部を前記ボディの端子挿入孔に圧入するための力が作用するように、前記折り曲げ部はボディから露出している必要がある。このように前記折り曲げ部がボディから露出すると、当該折り曲げ部と、誘電体であるボディに覆われる前記本体部との間でインピーダンス不整合が生じる。
【０００５】
もっとも、特殊な治具を用いれば、前記コンタクトの折り曲げ部を前記ボディの端子挿入孔に押し込むことが可能であるが、作業性が悪く、コスト高になる。
【０００６】
特に、前記コンタクトを２列で千鳥状に配列した場合、下段のコンタクトの折り曲げ部は上段のコンタクトの導出部と隣り合うものの、上段のコンタクトの折り曲げ部は、別の上段のコンタクトの折り曲げ部と隣り合う。このため、上段のコンタクトの折り曲げ部の間の距離が、下段のコンタクトの折り曲げ部と上段のコンタクトの導出部との間の距離の約２倍となる。
【０００７】
隣り合うコンタクト間の距離が大きくなると、これに伴って静電容量が小さくなり、インピーダンスが大きくなる。即ち、上段のコンタクトのインピーダンスが下段のコンタクトに比べて大きくなるため、上段のコンタクトのインピーダンス不整合が生じ易く、伝送特性を劣化させる要因となっていた。
【０００８】
本発明は、上記事情に鑑みて創案されたものであって、その目的とするところは、特殊な治具を用いることなく、折り曲げ部を簡単にボディ内に収容させることができるコンタクト及びこれを用いた電気コネクタを提供することにある。
【課題を解決するための手段】
【０００９】
上記課題を解決するために、本発明の電気コネクタは、ボディと、略Ｌ字状の第1のコンタクトとを備えており、前記ボディは、本体部と、前記本体部の背面に設けられた第１段部と、前記本体部の背面の前記第１段部下側に設けられており且つ当該第１段部よりも低い第２段部と、前記本体部の正面から前記第１段部の背面にかけて貫通した第１の端子挿入孔と、前記第１の端子挿入孔の背面側の下縁部中央に設けられ且つ前記第２段部側に開口した切欠き部とを有しており、前記第１のコンタクトは、前記ボディの第１の端子挿入孔に圧入された第１本体部と、前記第１本体部の先端部に連続しており且つ前記ボディの第１の端子挿入孔から突出する接点部と、前記第１本体部の後端部の中央部に連続しており前記第１の端子挿入孔に挿入された略Ｌ字状の第１折り曲げ部と、前記第１折り曲げ部の後端部に連続しており且つ前記切欠き部から導出され、前記第２段部に沿って垂下された第１導出部と、前記第１本体部の後端部の両端部に設けられ、当該第１本体部の長さ方向に延びた被押圧部であって、前記第１折り曲げ部と共に前記第１の端子挿入孔に挿入される一対の延長部とを有している。
【００１０】
このような電気コネクタによる場合、延長部の後端を押圧することにより、第１本体部が前記第１の端子挿入孔に圧入され、第１折り曲げ部が前記延長部と共に前記第１の端子挿入孔に挿入される。このため、第１折り曲げ部が従来例の如く前記ボディから露出せず、第１本体部と第１折り曲げ部との間でインピーダンス不整合が生じるのを抑止することができ、伝送特性の劣化を防止することができる。また、延長部の後端を押圧することで、第１本体部、当該延長部及び第１折り曲げ部を前記第１の端子挿入孔に挿入することができるので、特殊な治具を必要としない。よって、この点で低コスト化を図ることができる。
【００１１】
また、一対の延長部が第１折り曲げ部の両側に配置されているので、当該延長部を押圧し易くなり、第１のコンタクトの取り付け作業の容易化を図ることができる。
【００１２】
前記延長部の長さ寸法は、第１の折り曲げ部の折り曲げ箇所により分割される２つの直線部のうちの第１の本体部側の直線部の長さ寸法よりも長いことが好ましい。このように前記延長部の長さ寸法を、第１の折り曲げ部の折り曲げ箇所により分割される２つの直線部のうちの第１の本体部側の直線部の長さ寸法よりも長くすれば、延長部をボディの端子挿入孔に押し込むことにより、第１折り曲げ部全体が前記第１の端子挿入孔に挿入される。よって、インピーダンス不整合が生じるのを防止する上でメリットがある。
【００１３】
前記第１のコンタクトは、前記第１導出部の後端部に連続するリード部を更に有する構成とすることが可能である。
【００１４】
第１折り曲げ部及び第１導出部は、第１本体部の後端部に連続する板状体から切り起こされたものである場合、延長部は第１折り曲げ部及び第１導出部が切り起こされた前記板状体の残りの一部分である。このように延長部が第１折り曲げ部及び第１導出部の切り残しの一部分で構成されているので、新たに延長部を作成する場合と比べて、低コスト化を図ることができる。
【００１５】
前記電気コネクタは、略Ｌ字状の第２のコンタクトを更に備えた構成とすることが可能である。前記ボディは、前記本体部の正面から前記第２段部の背面にかけて貫通した第２の端子挿入孔を更に有しており、前記第２のコンタクトは、前記ボディの第２の端子挿入孔に収容保持された第２本体部と、前記第２本体部の後端部に連続する第２折り曲げ部と、この第２折り曲げ部の後端部に連続する第２導出部とを有している。
また、複数の前記第１、第２の端子挿入孔は前記ボディに２列で千鳥状に配設され、複数の前記第１、第２のコンタクトが前記ボディに２列で千鳥状に配列された構成とすることが可能である。前記ボディの背面には、前記第１の端子挿入孔と同間隔で設けられており且つ第１のコンタクトの第２導出部を収容保持する複数の第１の端子挿入溝と、前記第２の端子挿入孔と同間隔で設けられており且つ第２のコンタクトの第２導出部を収容保持する複数の第２の端子挿入溝とが設けられている。
【００１６】
また、複数の前記第１の端子挿入孔が、前記ボディに２列で千鳥状に配設され、複数の第１のコンタクトが前記ボディに２列で千鳥状に配列された構成とすることが可能である。前記ボディの背面には、前記第１の端子挿入孔と同間隔で設けられており且つ第１のコンタクトの第２導出部を収容保持する複数の第１の端子挿入溝が設けられている。
【００１７】
ボディの第１の端子挿入孔に、第１のコンタクトの第１本体部、延長部及び第１折り曲げ部が収容保持される。また、前記ボディの第１の端子挿入溝に第１のコンタクトの第１導出部が収容保持される。このため、第１のコンタクトのインピーダンス不整合が生じるのを防止することができ、伝送特性の劣化を防止することができる。
【発明を実施するための最良の形態】
【００１８】
以下、本発明の実施の形態に係る電気コネクタについて図面を参照しつつ説明する。図１は本発明の実施の形態に係る電気コネクタの概略的正面図、図２は同電気コネクタの概略的平面図、図３は同電気コネクタの概略的背面図、図４は同電気コネクタのコンタクト群が取り付けられたボディの概略的平面図、図５は同電気コネクタのコンタクト群が取り付けられたボディの概略的断面図、図６は同電気コネクタのコンタクト群が取り付けられたボディの凸部の一部を示す図であって、(ａ)が概略的平面図、（ｂ）が概略的底面図、図７は同電気コネクタのコンタクト群が取り付けられたボディの背面部の一部拡大斜視図、図８は同電気コネクタの上段コンタクト群のコンタクトを示す図であって、（ａ）が概略的斜視図、（ｂ）が概略的側面図、図９は同電気コネクタの下段コンタクト群のコンタクトを示す概略的斜視図である。
【００１９】
図１乃至図３に示す電気コネクタは、高速差動伝送対応の基板実装型レセプタクルであって、絶縁性を有するボディ１００と、ボディ１００内にその幅方向に間隔を空けて２列で千鳥状に配列される上段、下段コンタクト群２００ａ、２００ｂと、ボディ１００の外周を覆うシールドカバー３００とを備えている。以下、各部を詳しく説明する。
【００２０】
ボディ１００は、図１、図４及び図５に示すように、ＰＢＴ（ポリブチレンテレフタレート）やＰＰＳ（ポリフェニレンサルファイド）等の汎用の合成樹脂を射出成形したものであって、プラグＡが嵌合可能になっている。
【００２１】
ボディ１００は、略直方体状の本体部１１０と、本体部１１０の正面側に形成され且つプラグＡの先端凹部に入り込む正面視略逆Ｕ字状の凸部１２０と、本体部１１０の下方側に前方に向けて張り出して形成される略板状のベース部１３０と、ベース部１３０の底面に下向きに形成され、前記基板の図示しない孔部に嵌まり込む円柱状のボス１４０とを有している。
【００２２】
ボディ１００の本体部１１０の中央部には、図１及び図５に示すように、プラグＡのコンタクト（図示せず）に対応して第１、第２の端子挿入孔１１１ａ，１１１ｂが等ピッチ間隔で前記電気コネクタの幅方向に並べて且つ２段位相をずらせて間隔を開けて（即ち、千鳥状に）配設されている。第１の端子挿入孔１１１ａと第２の端子挿入孔１１１ｂとは、幅方向の端部同士が位置的に重なるように配設されている。
【００２３】
第１、第２の端子挿入孔１１１ａ，１１１ｂは、本体部１１０の正面（即ち、ボディの一端部）から本体部１１０の背面（即ち、ボディの他端部）にかけて貫通し且つ上段・下段コンタクト群２００ａ，２００ｂの第１、第２の本体部２０１２ａ，２０１２ｂに対応した同一の横長の角型貫通孔であって、上段・下段に１０個ずつ形成されている。
【００２４】
各第１の端子挿入孔１１１ａの下縁部の中央部には、図７に示すように、第１のコンタクト２０１ａの第１の導出部２０１４ａを下方に向けて導出させる切欠き部１１１ａ１が設けられている。
【００２５】
本体部１１０の背面部には、１０個の第１の端子挿入孔１１１ａが露出する第１の段部１１３ａと、１０個の第２の端子挿入孔１１１ｂが露出する第１の段部より低い第２の段部１１３ｂとが設けられている。
【００２６】
更に、本体部１１０の背面部には、図５及び図７に示すように、第１、第２の端子挿入孔１１１ａ，１１１ｂの下方位置に２０個の端子挿入溝１１２（第１、第２の端子挿入溝）が下方向に直線状に各々形成されている。端子挿入溝１１２は、上段・下段コンタクト群２００ａ，２００ｂの導出部２０１４ａ，２０１４ｂに対応した横幅を有する長溝であって、幅方向に配列されている。
【００２７】
ボディ１００の凸部１２０の上面には、図５乃至図７に示すように本体部１１０の第１の端子挿入孔１１１ａに各々連通した端子ガイド溝１２１ａが長さ方向に直線状に形成されている。凸部１２０の下面には、本体部１１０の第２の端子挿入孔１１１ｂに各々連通した端子ガイド溝１２１ｂが長さ方向に直線状に形成されている。端子ガイド溝１２１ａ，１２１ｂは、上段・下段コンタクト群２００ａ，２００ｂの接点部２０１１ａ，２０１１ｂに対応した横幅を有する溝であって、第１、第２の端子挿入孔１１１ａ，１１１ｂと同様に幅方向に位相ずれして配列されている。
【００２８】
シールドカバー３００は、図１、図２、図３に示すように、プラグＡがボティ１００に嵌合された状態で当該プラグＡの外周シールド（図示せず）に接触可能な金属製シェルであって、カバー本体３１０と、カバー本体３１０の幅方向の両端部に下方に向けて設けられる一対の脚部３２０と、カバー本体３１０の背面側の開口を開閉可能に覆うバックカバー部３３０とを有している。
【００２９】
カバー本体３１０は、ボディ１００の本体部１１０に嵌合し、当該本体部１１０及び凸部１２０の上下左右の４面（即ち、本体部１１０及び凸部１２０の外周）を覆う略角筒体である。
【００３０】
各脚部３２０は、前記基板の図示しない取り付け孔に挿入され、当該基板のグランド用のパターンに接続される。
【００３１】
バックカバー部３３０は、上端部がカバー本体３１０の背面側の開口上縁部に回動自在に取り付けられる板状部材である。このバックカバー部３３０がカバー本体３１０の背面側の開口を塞ぎ、ボディ１００の本体部１１０の背面部を覆うようになっている。
【００３２】
上段コンタクト群２００ａは、図６に示すように、第１のコンタクト２０１ａ〜２１０ａで構成されている。一方、下段コンタクト群２００ｂは、第２のコンタクト２０１ｂ〜２１０ｂで構成されている。
【００３３】
第１のコンタクト２０１ａは、図５及び図８に示すように、プラグＡがボティ１００の凸部１２０に嵌合された状態で、当該プラグＡのコンタクト（図示せず）に接触可能な第１の接点部２０１１ａと、第１の接点部２０１１ａの後端に連なって設けられ且つボディ１００の第１の端子挿入孔１１１ａに圧入される第１の本体部２０１２ａと、第１の本体部２０１２ａの後端の中央部に連なって設けられており且つ下方に向けて曲げられた第１の折り曲げ部２０１３ａと、この第１の折り曲げ部２０１３ａの後端に連なって設けられており且つボディ１００の背面に沿う第１の導出部２０１４ａと、第１の導出部２０１４ａの後端に連なって略直角に曲げて設けられており且つ前記基板上のパターンに接続される第１のリード部２０１５ａと、第１の本体部２０１２ａの後端の両端部に連なって設けられた被押圧部である直方体状の一対の第１の延長部２０１６ａとを有している。
【００３４】
第１の接点部２０１１ａ及び第１の本体部２０１２ａは略同じ厚みを有する板状体である。第１の本体部２０１２ａは第１の接点部２０１１ａよりも幅広の板状体であって、幅方向の両端部に圧入用の突起が設けられている。
【００３５】
第１の折り曲げ部２０１３ａは、その幅寸法が第１の本体部２０１２ａの幅寸法の略１／３である略Ｌ字状の棒状体である。第１の導出部２０１４ａ及び第１のリード部２０１５ａは折り曲げ部２０１３ａに連なる棒状体である。
【００３６】
各第１の延長部２０１６ａは、後述のように第１の折り曲げ部２０１３ａ、導出部２０１４ａ及びリード部２０１５ａが切り起こされた板状体の残り一部分であって、第１のリード部２０１５ａの折り曲げ方向（即ち、第１の本体部２０１２ａの長さ方向の後端側）に向けて突出している。
【００３７】
この第１の延長部２０１６ａの長さ寸法は、第１の折り曲げ部２０１３ａの曲げ外半径よりも長くなっている。換言すると、第１の延長部２０１６ａの長さ寸法が、第１の折り曲げ部２０１３ａの折り曲げ箇所により分割される２つの直線部のうちの第１の本体部２０１２ａ側の直線部の長さ寸法よりも長くなっている。
【００３８】
このような第１のコンタクト２０１ａは、導電性を有する板状体をプレス成型して作成される。即ち、前記板状体をカットして第１の接点部２０１１ａ及び第１の本体部２０１２ａを作成する。これと共に、第１の本体部２０１２ａの後端に連続する板状体に平行な一対の切れ込みを入れる。この一対の切れ込みの両側部分が一部分を残して切り落とされ、当該切れ込みの間の部分が折り曲げられて第１の折り曲げ部２０１３ａ、第１の導出部２０１４ａ及び第１のリード部２０１５ａとなる。前記一対の切れ込みの両側部分の切り残し部分が一対の延長部２０１６ａとなる。
【００３９】
第１のコンタクト２０２ａ、２０４ａ、２０５ａ、２０８ａ、２０９ａは第１のコンタクト２０１ａと同じものである。第１のコンタクト２０３ａ、２０６ａ、２０７ａ、２１０ａは、第１の接点部２０３１ａ、２０６１ａ、２０７１ａ、２１０１ａの長さ寸法が第１のコンタクト２０１ａの第１の接点部２０１１ａの長さ寸法よりも長い点で異なる以外、当該第１のコンタクト２０１ａと同じものである。
【００４０】
第２のコンタクト２０１ｂは、図９に示すように、プラグＡがボティ１００の凸部１２０に嵌合された状態で、プラグＡのコンタクト（図示せず）に接触可能な第２の接点部２０１１ｂと、第２の接点部２０１１ｂの後端に連なって設けられ且つボディ１００の第２の端子挿入孔１１１ｂに圧入される第２の本体部２０１２ｂと、第２の本体部２０１２ｂの後端に連なり且つ略直角に曲げられて設けられた第２の折り曲げ部２０１３ｂと、この第２の折り曲げ部２０１３ｂの後端に連なって設けられており且つボディ１００の背面に沿う第２の導出部２０１４ｂと、第２の導出部２０１４ｂの後端に連なって略直角に曲げて設けられており且つ前記基板上のパターンに接続される第２のリード部２０１５ｂとを有している。
【００４１】
第２の接点部２０１１ｂ及び第２の本体部２０１２ｂは略同じ厚みを有する板状体である。第２の本体部２０１２ｂは第２の接点部２０１１ｂよりも幅広の板状体であって、幅方向の両端部に圧入用の突起が設けられている。
【００４２】
第２の折り曲げ部２０１３ｂは、その幅寸法が第２の本体部２０１２ｂの幅寸法の略１／３である略Ｌ字状の棒状体である。第２の導出部２０１４ｂ及び第２のリード部２０１５ｂは第２の折り曲げ部２０１３ｂに連なる棒状体である。第２の導出部２０１４ｂの長さ寸法は、図５に示すように、第１の導出部２０１４ａの長さ寸法に比べて、第１のコンタクト２０１ａと第２のコンタクト２０１ｂとの上下の段差の分だけ短くなっている。
【００４３】
このような第２のコンタクト２０１ｂも、導電性を有する板状体をプレス成型して作成される。即ち、前記板状体をカットして第２の接点部２０１１ｂ及び第２の本体部２０１２ｂを作成する。これと共に、第２の本体部２０１２ｂの後端に連続する板状体に平行な一対の切れ込みを入れる。この一対の切れ込みの両側部分が切り落とされ、当該切れ込みの間の部分が折り曲げられて第２の折り曲げ部２０１３ｂ、第２の導出部２０１４ｂ及び第２のリード部２０１５ｂとなる。
【００４４】
第２のコンタクト２０４ｂ、２０７ｂ、２０８ｂ、２１０ｂは第２のコンタクト２０１ｂと同じものである。第２のコンタクト２０２ｂ、２０３ｂ、２０５ｂ、２０６ｂ、２０９ｂは、第２の接点部２０２１ｂ、２０３１ｂ、２０５１ｂ、２０６１ｂ、２０９１ｂの長さ寸法が第２のコンタクト２０１ｂの第２の接点部２０１１ｂの長さ寸法よりも短い点で異なる以外、当該第２のコンタクト２０１ｂと同じものである。
【００４５】
本実施形態の電気コネクタは、電源ライン又はシングルエンド信号の他、第１〜第５の差動信号を伝送するのに使用されるものである。第１、第２のコンタクト２０７ａ，２１０ａ，２０７ｂ，２０９ｂ，２１０ｂは、前記基板のパターンに接続されることにより、電源ライン又はシングルエンド信号を伝送するためのコンタクトとして機能する。第１、第２のコンタクト２０１ａ，２０２ｂ，２０４ａ，２０５ｂ，２０８ａは、前記基板のパターンに接続されることにより、第１〜第５の差動信号を伝送するためのプラス信号用コンタクト、第１、第２のコンタクト２０２ａ，２０３ｂ，２０５ａ，２０６ｂ，２０９ａは第１〜第５の差動信号を伝送するためのマイナス信号用コンタクト、第１、第２のコンタクト２０１ｂ，２０３ａ，２０４ｂ，２０６ａ，２０８ｂは第１〜第５の差動信号を伝送するためのコモングランド用コンタクトとして各々機能する。
【００４６】
特に、上段・下段コンタクト群２００ａ，２００ｂのうち第１〜第５の差動信号を伝送するための第１、第２のコンタクト（２０１ａ〜２０６ａ，２０８ａ，２０９ａ、２０１ｂ〜２０６ｂ，２０８ｂ）について着目すると、図１に示すように、ボディ１００の断面上において、上記プラス信号用コンタクト及びマイナス信号用コンタクトを底辺側、コモングランド用コンタクトを頂点側として三角形状に配置したものを一組とし、これらの５組が上下位置関係を交互に逆にして幅方向に順次配列されている。
【００４７】
本実施形態の電気コネクタにおいて、信号コンタクト等の配置関係が上記した通りであることから、隣接コンタクトの差動ペア内及び差動ペア間で専ら低スキュー等にするために、第１のコンタクト２０１ａ〜２１０ａの第１の接点部２０１１ａ〜２１１１ａ及び第２のコンタクト２０１ｂ〜２１０ｂの第２の接点部２０１１ｂ〜２１１１ｂの長さの大小関係が図６に示す通りになっている。
【００４８】
以下、上段コンタクト群２００ａ及び下段コンタクト群２００ｂをボディ１００に取り付ける手順について詳しく説明する。
【００４９】
まず、第２のコンタクト２０１ｂ〜２１０ｂの第２の接点部２０１１ｂ〜２１０１ｂを、ボディ１００の１０個の第２の端子挿入孔１１１ｂに当該ボディ１００の背面部側から各々位置合わせしつつ挿入する。この状態で、第２のコンタクト２０１ｂ〜２１０ｂの第２の折り曲げ部２０１３ｂ〜２１０３ｂを第２の端子挿入孔１１１ｂに向けて各々押圧する。すると、第２のコンタクト２０１ｂ〜２１０ｂの第２の本体部２０１２ｂ〜２１０２ｂが１０個の第２の端子挿入孔１１１ｂに各々圧入される。これと共に、第２のコンタクト２０１ｂ〜２１０ｂの第２の接点部２０１１ｂ〜２１０１ｂがボディ１００の１０個の端子ガイド溝１２１ｂに各々挿入され、第２の導出部２０１４ｂ〜２１０４ｂが１０個の端子挿入溝１１２に各々挿入される。
【００５０】
その後、第１のコンタクト２０１ａ〜２１０ａの第１の接点部２０１１ａ〜２１０１ａをボディ１００の１０個の第１の端子挿入孔１１１ａに当該ボディ１００の背面部側から各々位置合わせしつつ挿入する。この状態で、第１のコンタクト２０１ａ〜２１０ａの一対の第１の延長部２０１６ａ〜２１０６ａを第１の端子挿入孔１１１ａに向けて各々押圧する。すると、第１のコンタクト２０１ａ〜２１０ａの第１の本体部２０１２ａ〜２１０２ａが１０個の第１の端子挿入孔１１１ａの先端部に各々圧入され、一対の第１の延長部２０１６ａ〜２１０６ａ及び第１の折り曲げ部２０１３ａ〜２１０３ａが第１の端子挿入孔１１１ａの後端部に各々挿入される。これと共に、第１のコンタクト２０１ａ〜２１０ａの第１の接点部２０１１ａ〜２１０１ａがボディ１００の１０個の端子ガイド溝１２１ａに各々挿入され、第１の導出部２０１４ａ〜２１０４ａが残りの１０個の端子挿入溝１１２に各々挿入される。
【００５１】
このようにして第１の折り曲げ部２０１３ａ〜２１０３ａが第１の端子挿入孔１１１ａに挿入されると、当該第１の折り曲げ部２０１３ａ〜２１０３ａの上下面及び左右面が第１の端子挿入孔１１１ａの後端部の四壁面によって取り囲まれる。
【００５２】
このようにボディ１００に取り付けられた上段コンタクト群２００ａ及び下段コンタクト群２００ｂは、図１及び図６に示すように、第１のコンタクト２０１ａ〜２１０ａの第１の本体部２０１２ａ〜２１０２ａの幅方向の端部と第２のコンタクト２０１ｂ〜２１０ｂの第２の本体部２０１２ｂ〜２１０２ｂとの幅方向の端部とが位置的に重なるように配置される。
【００５３】
このため、前記コモングランド用コンタクトの本体部の幅方向の両端部が、前記プラス信号用コンタクト及びマイナス信号用コンタクトの本体部の幅方向の端部に位置的に重なるように配置される。また、前記プラス信号用コンタクト及びマイナス信号用コンタクトの隣には、別の組の前記コモングランド用コンタクトが配置される。これにより、差動ペアのコンタクト間で良好なインピーダンス整合が図られている。
【００５４】
このような電気コネクタによる場合、第１のコンタクト２０１ａ〜２１０ａの一対の第１の延長部２０１６ａ〜２１０６ａを第１の端子挿入孔１１１ａの後端部に押し込むことにより、当該第１のコンタクト２０１ａ〜２１０ａの第１の折り曲げ部２０１３ａが、一対の第１の延長部２０１６ａ〜２１０６ａと共に第１の端子挿入孔１１１ａの後端部に挿入されるようになっている。このため、上段のコンタクトの折り曲げ部がボディ１００の背面部から露出する場合、１１５Ω付近であった差動ペア間のインピーダンス特性を、差動インピーダンスの規格とされる１００Ω付近に設定することができるので、良好なインピーダンス整合を図ることができる。
【００５５】
なお、上記コンタクトは、電気コネクタのボディに設けられた端子挿入孔に挿入保持される略Ｌ字状のコンタクトであって、ボディの端子挿入孔に圧入される本体部と、本体部の後端部の一部に連続する折り曲げ部と、折り曲げ部の後端部に連続する導出部と、本体部の後端部の残りの部分に、当該本体部の長さ方向に向けて凸設される被押圧部であって、折り曲げ部と共に前記端子挿入孔に挿入される延長部とを備える限り任意に設計変更することが可能である。
【００５６】
例えば、前記折り曲げ部を本体部の後端部の幅方向の一端部に設け、前記延長部を前記折り曲げ部を本体部の後端部の幅方向の他端部に設けることが可能である。
【００５７】
前記延長部の形状については本体部の長さ方向に向けて凸設されるものである限り任意に設計変更可能である。例えば、本体部の後端部から突出する棒状体とし、本体部に設けた凹部に差し込むようにしても良い。
【００５８】
前記延長部の長さ寸法は、折り曲げ部の少なくとも一部を前記ボディの端子挿入孔に挿入することができるものであれば良い。この場合であっても、前記本体部と前記折り曲げ部との間でインピーダンス不整合が生じるのを抑止することができる。
【００５９】
前記本体部の形状については、前記ボディの端子挿入孔に圧入可能なものである限り任意に設計変更することが可能である。前記接点部、導出部及びリード部の形状についても、任意に設計変更可能である。
【００６０】
前記コンタクトは、上記接点部及びリード部を設けるか否かは任意である。換言すると、前記本体部の一部を接点部として機能させる一方、導出部の一部をリード部として機能させるようにすることができる。
【００６１】
なお、上記コンタクトは、差動（ディファレンシャル）型の伝送方式用コンタクトに限定されるものではなく、不平衡（シングルエンド）型の伝送方式用コンタクト等のその他のコンタクトとしても適応可能である。
【００６２】
上記コネクタは、上記コンタクトと、このコンタクトを収容保持する端子挿入孔を有するボディとを備えている限り任意に設計変更することが可能である。
【００６３】
従って、上記コンタクトの配列については、任意に設計変更可能である。前記コネクタが差動信号伝送型の電気コネクタである場合、上記プラス信号用コンタクト、マイナス信号用コンタクト及びコモングランド用コンタクトを三角形状に配置したものを一組とし、この組が幅方向に順次配列されていることが好ましいが、これに限定されるものではない。
【００６４】
また、本実施例では、上段に第１のコンタクト、下段に第２のコンタクトが配列されているとしたが、第１のコンタクトを２列で千鳥状に配列することも可能である。この場合、下段のコンタクトの折り曲げ部も延長部と共にボディの端子挿入孔に挿入することができるので、インピーダンス整合を図る上でメリットがある。なお、前記コンタクトは、３列以上に配列することができる。なお、前記コンタクトの配列は千鳥状に配列することに限定されるものではない。
【００６５】
なお、上記電気コネクタは、レセプタクルであるとして説明したが、コンタクトにケーブルが接続されるプラグとすることが可能である。
【図面の簡単な説明】
【００６６】
【図１】本発明の実施の形態に係る電気コネクタの概略的正面図である。
【図２】同電気コネクタの概略的平面図である。
【図３】同電気コネクタの概略的背面図である。
【図４】同電気コネクタのコンタクト群が取り付けられたボディの概略的平面図である。
【図５】同電気コネクタのコンタクト群が取り付けられたボディの概略的断面図である。
【図６】同電気コネクタのコンタクト群が取り付けられたボディの凸部の一部を示す図であって、(ａ)が概略的平面図、（ｂ）が概略的底面図である。
【図７】同電気コネクタのコンタクト群が取り付けられたボディの背面部の一部拡大斜視図である。
【図８】同電気コネクタのコンタクトを示す図であって、（ａ）が概略的斜視図、（ｂ）が概略的側面図である。
【図９】同電気コネクタの下段コンタクト群のコンタクトを示す概略的斜視図である。
【符号の説明】
【００６７】
１００    ボディ
１１１ａ  第１の端子挿入孔
１１１ｂ  第２の端子挿入孔
１１２    端子挿入溝（第１、第２の端子挿入溝）
２００ａ  上段コンタクト群
２０１ａ〜２１０ａ  第１のコンタクト
２０１１ａ〜２１０１ａ  第１の接点部
２０１２ａ〜２１０２ａ  第１の本体部
２０１３ａ〜２１０３ａ  第１の折り曲げ部
２０１４ａ〜２１０４ａ  第１の導出部
２０１５ａ〜２１０５ａ  第１のリード部
２０１６ａ〜２１０６ａ  第１の延長部
２００ｂ  下段コンタクト群
２０１ｂ〜２１０ｂ  第２のコンタクト
２０１１ｂ〜２１０１ｂ  第２の接点部
２０１２ｂ〜２１０２ｂ  第２の本体部
２０１３ｂ〜２１０３ｂ  第２の折り曲げ部
２０１４ｂ〜２１０４ｂ  第２の導出部
２０１５ｂ〜２１０５ｂ  第２のリード部
【図１】
0004912244.tif 000002
【図２】
0004912244.tif 000003
【図３】
0004912244.tif 000004
【図４】
0004912244.tif 000005
【図５】
0004912244.tif 000006
【図６】
0004912244.tif 000007
【図８】
0004912244.tif 000008
【図９】
0004912244.tif 000009
【図７】
0004912244.tif 000010